(57)【要約】      （修正有）【課題】カーペットや絨毯の繊維の間に入り込み繊維に絡まった糸くず、毛髪、ペットの毛などを確実に除去できるようにした清掃具を提供する。【解決手段】カーペットや絨毯の繊維の間に入り込み繊維に絡まった糸くず、毛髪、ペットの毛を取り除くのに適した清掃具であって、清掃具本体１０の下面には複数の弾性糸２０が相互に同方向に延びかつ清掃すべき箇所に接触し得るように配列されており、清掃具本体を弾性糸の延びる方向と直交する方向に押し引きすることによって弾性糸に糸くず、毛髪、ペットの毛を巻き取って取り除く。複数の弾性糸を取付けフレーム２０Ａに張架し、取付けフレームを清掃具本体の下面に着脱可能に取付ける。【選択図】図２
0003151481.tif 000002
【実用新案登録請求の範囲】
【請求項１】
カーペットや絨毯の繊維の間に入り込み繊維に絡まった糸くず、毛髪、ペットの毛を取り除くのに適した清掃具であって、
清掃具本体の下面には複数の弾性糸が相互に同方向に延びかつ清掃すべき箇所に接触し得るように配列されており、
上記清掃具本体が上記弾性糸の延びる方向と直交する方向に押し引きされることによって上記弾性糸が糸くず、毛髪、ペットの毛を巻き取って取り除くようになしたことを特徴とする清掃具。
【請求項２】
上記複数の弾性糸が取付けフレームに張架され、該取付けフレームが上記清掃具本体の下面に着脱可能に取付けられている請求項１記載の清掃具。
【請求項３】
上記弾性糸が輪ゴムである請求項１又は２記載の清掃具。
【請求項４】
上記清掃具本体には清掃する人が把持するグリップが設けられている請求項１記載の清掃具。
【考案の詳細な説明】
【技術分野】
【０００１】
この考案は清掃具に関し、特に毛髪やペットの毛を確実に清掃できるようにした清掃具に関する。
【背景技術】
【０００２】
例えば、室内を掃除する場合、電気掃除機や箒を用いるのが一般的である。電気掃除機はフロア、畳、カーペット、絨毯の上の塵を吸引し除去するが、カーペットや絨毯の繊維の間に入り込み繊維に絡まった糸くず、毛髪、ペットの毛などを完全に除去することは難しかった。
【０００３】
これに対し、ロール状の粘着テープを利用してカーペットや絨毯の繊維の間に入り込み繊維に絡まった糸くず、毛髪、ペットの毛などを除去するようにした清掃具が提案されている（特許文献１、特許文献２）。
【０００４】
また、表面に複数の半球状の突起を形成し、突起をカーペットや絨毯に押しつけて繊維の間に入り込み繊維に絡まった糸くず、毛髪、ペットの毛などを掻き出すようにした清掃具が提案されている（特許文献３）
【先行技術文献】
【特許文献】
【０００５】
【特許文献１】実開平０７−３９７５６号公報
【特許文献２】特公昭５３−４３５３４号公報
【特許文献３】特開２００２−８５３１２号公報
【考案の概要】
【考案が解決しようとする課題】
【０００６】
しかし、特許文献１、２記載の清掃具ではカーペットや絨毯に粘着感が残ってしまうおそれがある。また、特許文献３記載の清掃具では糸くず、毛髪、ペットの毛などが繊維に絡まっているときには掻き出すことができず、残ってしまう。
【０００７】
本考案はかかる問題点に鑑み、カーペットや絨毯の繊維の間に入り込み繊維に絡まった糸くず、毛髪、ペットの毛などを確実に除去できるようにした清掃具を提供することを課題とする。
【課題を解決するための手段】
【０００８】
そこで、本考案に係る清掃具は、カーペットや絨毯の繊維の間に入り込み繊維に絡まった糸くず、毛髪、ペットの毛を取り除くのに適した清掃具であって、清掃具本体の下面には複数の弾性糸が相互に同方向に延びかつ清掃すべき箇所に接触し得るように配列されており、上記清掃具本体が上記弾性糸の延びる方向と直交する方向に押し引きされることによって上記弾性糸が糸くず、毛髪、ペットの毛を巻き取って取り除くようになしたことを特徴とする。
【０００９】
本考案の特徴の１つは複数の弾性糸を相互に平行に延びて設け、弾性糸と直交する方向に押し引きするようにした点にある。
【００１０】
これにより、清掃具本体を押し引きすると、弾性糸が捩れながら押し引きされ、弾性糸がカーペットや絨毯の繊維の間に入り込み繊維に絡まった糸くず、毛髪、ペットの毛に接触すると、糸くず、毛髪、ペットの毛を巻き取るので、繊維の間に入り込み繊維に絡まった糸くず、毛髪、ペットの毛を繊維から確実に取り除くことができる。
【００１１】
弾性糸がカーペットや絨毯の繊維に接触しても、繊維は比較的短くしかもカーペットや絨毯の一部を構成して自由に動き廻ることができないので、弾性糸に巻き取られることはなく、カーペットや絨毯が傷むおそれもない。
【００１２】
弾性糸は清掃具本体の下面に形成した取付け部の間に直接掛け渡すようにしてもよいが、弾性糸に絡まった糸くずなどを取り除くのが繁雑である。そこで、複数の弾性糸を取付けフレームに張架し、取付けフレームを清掃具本体の下面に着脱可能に取付けるように構成すると、糸くずなどが絡みついた弾性糸を交換して新しい弾性糸に簡単に交換することができる。
【００１３】
弾性糸は弾性を有する糸であればよく、例えば天然ゴム、合成ゴム、軟質の合成樹脂材料で製作された糸を採用することができる。また、清掃具本体や取付けフレームへの取付け性を考慮すると、輪ゴムを用いるのがよい。
【００１４】
清掃具本体には清掃する人が把持するグリップを設けるのが好ましい。グリップはロッドの後端部に形成してもよく、清掃具本体の上面にグリップを直接形成するようにしてもよい。
【００１５】
清掃具本体の材料は特に限定されず、合成樹脂材料などを用いることができる。
【図面の簡単な説明】
【００１６】
【図１】本考案に係る清掃具の好ましい実施形態を示す上方から見たときの斜視図である。
【図２】上記実施形態を示す底方からみたときの斜視図である。
【図３】上記実施形態を示す正面図である。
【図４】上記実施形態における作用を模式的に示す図である。
【図５】第２の実施形態を示す斜視図である。
【考案を実施するための形態】
【００１７】
以下、本考案を図面に示す具体例に基づいて詳細に説明する。図１ないし図４は本考案に係る清掃具の好ましい実施形態を示す。図において、清掃具本体１０は例えばプラスチック材料を用いて平面四角形状に製作され、その後部上面にはロッド１０Ａが斜め後方に延びて接続され、ロッド１０Ａの後端部にはグリップ１０Ｂが形成されている。
【００１８】
また、清掃具本体１０の下面１０Ｃには４つの取付けブラケット１０Ｄが固定され、取付けブラケット１０Ｄには取付けフレーム２０Ａがクリップ２０Ｃによって着脱自在に取付けられている。
【００１９】
この取付けフレーム２０Ａの両端部には取付け部２０Ｂが固定され、取付け部２０Ｂは取付けフレーム２０Ａから上下に突出するように寸法の円柱状に製作され、２つの取付け部２０Ｂの間には輪ゴム（弾性糸）２０が張架されている。
【００２０】
カーペットの繊維間に入り込み絡みついた糸くず、毛髪、ペットの毛を掃除する場合、本例の清掃具のクリップ１０Ｂを握って輪ゴム２０をカーペットに押しつけ、その状態で清掃具を前後に押し引きする。
【００２１】
すると、清掃具本体の押し引きによって輪ゴム２０が捩じられており、カーペットの繊維間に入り込み絡みついた糸くず、毛髪、ペットの毛、例えば毛髪３０が輪ゴム２０に接触すると、図４に示されるように、輪ゴム２０に巻き取られてゆく。
【００２２】
したがって、清掃具本体を適当な回数押し引きすると、カーペットの繊維間に入り込み絡みついた糸くず、毛髪、ペットの毛のほとんどが輪ゴム２０に巻き取られるので、清掃具本体をカーペットから離すと、糸くず、毛髪、ペットの毛を取り除くことができる。
【００２３】
輪ゴム２０に全体に糸くず、毛髪、ペットの毛が巻き取られると、清掃能力が低下する。そこで、クリップ２０Ｃを抜いて取付けフレーム２０Ａを取付けブラケット１０Ｄから外し、輪ゴム２０の上下反転させ、取付けフレーム２０Ａを取付けブラケット１０Ｄにセ
ットし、クリップ２０Ｃを差し込んで取付けると、清掃能力が回復する。
【００２４】
図５は第２の実施形態を示し、本例では清掃具本体１０の上面にグリップ１０Ｂ’を直接形成するようにしている。
【符号の説明】
【００２５】
１０      清掃具本体
１０Ｂ    グリップ
１０Ｄ    取付けブラケット
２０      輪ゴム（弾性糸）
２０Ａ    取付けフレーム
【図１】
0003151481.tif 000003
【図２】
0003151481.tif 000004
【図３】
0003151481.tif 000005
【図４】
0003151481.tif 000006
【図５】
0003151481.tif 000007